(57)【要約】      （修正有）【課題】脱着が容易で、収納スペースを取らないゴルフスイング矯正具の役割を有するゴルフクラブカバーを提供する。【解決手段】ゴルフクラブカバーは、ゴルフクラブＣのヘッドを収納可能なヘッド収納部と、シャフトのヘッド側の一部を被覆可能なシャフト被覆部とを備え、ヘッド収納部からシャフト被覆部にかけての稜線が、体格が標準的なゴルファがアドレスに入って打球のためにゴルフクラブを握った際の予め定められた適正な位置に位置する両腕の内側に沿うように形成されたカバー１と、カバー１に収納され、かつ注入排出部２０から流動体の注入と排出が可能な中空の袋体２と、を備える。【選択図】図４
0003199428.tif 000002
【実用新案登録請求の範囲】
【請求項１】
ゴルフクラブのヘッドを収納可能なヘッド収納部と、シャフトの前記ヘッド側の一部を被覆可能なシャフト被覆部とを備え、前記ヘッド収納部から前記シャフト被覆部にかけての稜線が、体格が標準的なゴルファがアドレスに入って打球のために前記ゴルフクラブを握った際の予め定められた適正な位置に位置する両腕の内側に沿うように形成されたカバーと、
前記カバーに収納可能でありかつ流動体が注入可能でかつ注入された前記流動体が排出可能な中空の袋体と、
を備えたゴルフクラブカバー。
【請求項２】
前記袋体の形状は、内側に前記ヘッド及び前記シャフトの一部を収納可能な形状である請求項１記載のゴルフクラブカバー。
【請求項３】
前記袋体には、前記流動体を注入しかつ前記注入された前記流動体を排出するための注入排出部が設けられ、
前記カバーには、前記注入排出部の一部が内側から外側に出ることができる開口が形成されたことを特徴とする請求項１又は請求項２に記載のゴルフクラブカバー。
【請求項４】
前記流動体は、息による人体から排出された気体である請求項１〜請求項３の何れか１項に記載のゴルフクラブカバー。
【考案の詳細な説明】
【技術分野】
【０００１】
この考案は、ゴルフクラブカバーに係り、詳しくは、ゴルフスイングを矯正する矯正具の役割を有するゴルフクラブカバーに関するものである。
【背景技術】
【０００２】
ゴルフ競技において行われるゴルフスイングについて、安定的なボールの軌道が得られるスイングの理論として、例えば以下のようなものがある。
【０００３】
両手が常に胸の前にある状態を維持しつつ、体を回転させることにより、ボールを打つ。この際、手打ちにならないように意識しつつ体の回転でスイングする。
【０００４】
しかしながら、実際にスイングする際には、初心者は無意識のうちに腕に力が入ることが多く、腕を胸に対して適正な位置に維持できない。
【０００５】
従来、競技者の胴体に対してクラブを持った腕の位置を、適正位置で維持しつつスイングできるようにするための矯正具が提案されている。
【０００６】
【先行技術文献】
【特許文献】
【０００７】
【特許文献１】特表平１０−５０７１０９号
【考案の概要】
【考案が解決しようとする課題】
【０００８】
特許文献１では、両腕の前腕部にそれぞれ装着される一対の前腕カフスと、前腕カフスの角度を固定する拘束ウェジを備えており、このトレーニング装置によって、両腕が適正な位置に固定される構成となっている。
【０００９】
このようなトレーニング装置を装着して、ゴルフスイングの練習を繰り返し行うことにより、腕が適正位置となるゴルフスイングを体が覚えることとなる。しかし、ゴルフの競技場においては、トレーニング装置を装着してスイングすることは出来ないため、ゴルフ競技が進行するにつれて、以前の不適正な腕の位置に戻ってしまうことも多い。腕の位置を矯正するために、ショットの合間をぬって、トレーニング装置を装着してスイング練習をすることも可能であるが、上記従来のトレーニング装置では、ショットの合間に脱着するには、脱着作業に手間が掛かる。
【００１０】
また、ゴルフクラブなどの競技用具が詰まっているゴルフバッグに、更にトレーニング装置を収納するためには、別途収納スペースを設けなければならない、といった問題があった。
【００１１】
この考案は、脱着が容易で、収納スペースを取らないゴルフスイングの矯正具の役割を有するゴルフクラブカバーを提供することを目的とするものである。
【課題を解決するための手段】
【００１２】
以上のような問題を解決する本考案は、以下のような構成を有する。
【００１３】
（１）ゴルフクラブのヘッドを収納可能なヘッド収納部と、シャフトの前記ヘッド側の一部を被覆可能なシャフト被覆部とを備え、前記ヘッド収納部から前記シャフト被覆部にかけての稜線が、体格が標準的なゴルファがアドレスに入って打球のために前記ゴルフクラブを握った際の予め定められた適正な位置に位置する両腕の内側に沿うように形成されたカバーと、
前記カバーに収納可能でありかつ流動体が注入可能でかつ注入された前記流動体が排出可能な中空の袋体と、
を備えたゴルフクラブカバー。
【００１４】
（２）前記袋体の形状は、内側に前記ヘッド及び前記シャフトの一部を収納可能な形状である（１）に記載のゴルフクラブカバー。
【００１５】
（３）前記袋体には、前記流動体を注入しかつ前記注入された前記流動体を排出するための注入排出部が設けられ、
前記カバーには、前記注入排出部の一部が内側から外側に出ることができる開口が形成されたことを特徴とする（１）又は（２）に記載のゴルフクラブカバー。
【００１６】
（４）前記流動体は、息による人体から排出された気体である（１）〜（３）の何れか１項に記載のゴルフクラブカバー。
【考案の効果】
【００１７】
請求項１記載の考案によれば、収納スペースを取らないゴルフスイング矯正具を提供することができる、という効果を有する。
【００１８】
請求項２記載の考案によれば、袋体によってもゴルフクラブを保護することができる、という効果を有する。
【００１９】
請求項３記載の考案によれば、カバーにゴルフクラブを収納した状態で、一部がカバーから出ている注入排出部を介して、袋体に流動体を注入し、袋体によってもゴルフクラブを保護することができる、という効果を有する。
【００２０】
請求項４記載の考案によれば、ポンプ等の専用の機械を用いずとも息により袋体を注入できる、という効果を有する。
【図面の簡単な説明】
【００２１】
【図１】本実施の形態のゴルフクラブカバーの外観を示す図である。
【図２】（Ａ）は、空気が注入できるように中空の袋体２の外観を示す図であり、（Ｂ）は、袋体２がカバー１の中に収納された状態を示す図である。
【図３】袋体２がカバー１の中に収納された状態で、ゴルフクラブＣがカバー１に収納されかつ袋体２により覆われた状態を示す図である。
【図４】図３に示すように袋体２がカバー１の中に収納されると共にゴルフクラブＣがカバー１に収納されかつ袋体２により覆われた状態で凸部２５及び凸部２６のそれぞれの接近している端の間を通る面におけるゴルフクラブカバーの断面図であり、（Ａ）は、袋体２の中空に空気が注入されていない状態を示し、（Ｂ）は、袋体２の中空に空気が注入された状態を示し、（Ｃ）は、ゴルフクラブＣがカバー１に収納されていない状態で、袋体２の中空に空気が注入された状態を示すカバー１の断面図である。
【図５】ゴルフクラブＣがカバー１に収納されていない状態でのカバー１に収納された袋体２の外観図である。
【図６】体格が標準的なゴルファが、右腕ＡＲと左腕ＡＬとの間にゴルフクラブカバーを挟み、ゴルフクラブＣを握ってスイングをしようとするときの正面図である。
【図７】変形例における袋体２がカバー１の中に収納された状態を示す図である。
【考案を実施するための形態】
【００２２】
以下、本考案の第１の実施の形態に係るゴルフクラブカバーについて図面を参照して説明する。
【００２３】
図１は、ゴルフクラブカバーの外観を示す図である。図１に示すように、ゴルフクラブカバーは、カバー１と、袋体２（図２（Ａ））とを備えている。カバー１は、シャフトＣ１及びヘッドＣ２を備えたゴルフクラブＣのシャフトＣ１のヘッドＣ２側の一部を被覆可能なシャフト被覆部１ＣＶ１と、ヘッドＣ２を収納可能なヘッド収納部１ＣＶ２とを備えている。シャフト被覆部１ＣＶ１及びヘッド収納部１ＣＶ２は一体で構成されている。
【００２４】
シャフト被覆部１ＣＶ１及びヘッド収納部１ＣＶ２の前側１Ｆには、後端１ＣＶ１１から先端１ＣＶ２２側に向かって切り込みが形成されている。よって、シャフト被覆部１ＣＶ１及びヘッド収納部１ＣＶ２には、後端１ＣＶ１１から先端１ＣＶ２２を見て右側の端１２と左側の端１４とを開くことにより、カバー１の内部が開放されることが可能である。ヘッド収納部１ＣＶ２の上記切り込みが形成されている前側１Ｆとは反対の後側１Ｂには、後述する注入排出部２０（図２（Ａ）及び図３も参照）が挿入される開口１６が形成されている。
【００２５】
図２（Ａ）は、空気が注入可能でかつ注入された空気が排出可能な中空の袋体２の外観を示す図であり、図２（Ｂ）は、袋体２がカバー１の中に収納された状態を示す図である。
【００２６】
図２（Ａ）に示すように、袋体２は、各々ヘッド収納部１ＣＶ２（図２（Ｂ））に収納され且つヘッドＣ２（図１）の後端１ＣＶ１１から先端１ＣＶ２２を見て右半分の部分を覆う第１のヘッド被覆部分２７と、左半分を覆う第２のヘッド被覆部分２８と、を備えている。また、袋体２は、シャフト被覆部１ＣＶ１に収納され且つシャフトＣ１（図１）の一部を被覆するシャフト被覆部分２９を備えている。第１のヘッド被覆部分２７及び第２のヘッド被覆部分２８は、シャフト被覆部分２９に接続されている。
【００２７】
第１のヘッド被覆部分２７と第２のヘッド被覆部分２８とは、カバー１の後側１Ｂ（図１参照）に対応する側（図２（Ａ）では隠れている）で接続している。また、第１のヘッド被覆部分２７は、カバー１の前側１Ｆ（図１参照）に対応する側に、ヘッドＣ１の右半分の部分の形状に沿って凸部２５が形成されている。また、第２のヘッド被覆部分２８は、カバー１の前側１Ｆ（図１参照）に対応する側に、ヘッドＣ１の左半分の部分の形状に沿って凸部２６が形成されている。
【００２８】
袋体２の所定個所、例えば、第１のヘッド被覆部分２７と第２のヘッド被覆部分２８とが接続された個所で、シャフト被覆部分２９とは凸部２５及び凸部２６を挟んだ反対側の個所には、袋体２中空の部分に空気を注入し且つ注入した空気を排出するための注入排出部２０が設けられている。注入排出部２０は、基部２１、基部２１の先端側で、空気を注入し且つ注入した空気を排出するための注入排出口２２、及び、注入した空気が注入排出口２２から排出しないように注入排出口２２を閉じる蓋２３を備えている。基部２１は、基部２１の上部が基部２１の下部内に収納できるように構成されている。
【００２９】
図１に示したカバー１の切り込みにより形成された右側の端１２と左側の端１４とを開いて、カバー１の内部を開放する。カバー１の内部が開放された状態で、注入排出部２０を開口１６から外に出すと共に、図２（Ａ）及び図２（Ｂ）に示すように第１のヘッド被覆部分２７と第２のヘッド被覆部分２８とがヘッド収納部１ＣＶ２に収納されかつシャフト被覆部分２９がシャフト被覆部１ＣＶ１に収納されるように、袋体２をカバー１の中に収納する。
【００３０】
図３は、袋体２がカバー１の中に収納された状態で、ゴルフクラブＣがカバー１に収納されかつ袋体２により覆われた状態を示す図である。図３に示すように、袋体２の第１のヘッド被覆部分２７がヘッドＣ２の右半分を覆いかつ第２のヘッド被覆部分２８がヘッドＣ２の左半分を覆うと共に、シャフト被覆部分２９がシャフトＣ１の一部を覆う。上記のように凸部２５及び凸部２６は、ヘッドＣ１の形状に沿って形成されているので、袋体２の第１のヘッド被覆部分２７が凸部２５及び凸部２６のそれぞれの端が接近する。なお、それぞれの端が重なるように凸部２５及び凸部２６を形成してもよい。
【００３１】
ところで、図１に示すシャフト被覆部１ＣＶ１及びヘッド収納部１ＣＶ２の上記右側の端１２と左側の端１４各々には、図示しない磁石が仕込まれており、収納時には磁力により閉じられる。なお、この部分は、ファスナー(チャック)でもよい。
【００３２】
図４は、図３に示すように袋体２がカバー１の中に収納されると共にゴルフクラブＣがカバー１に収納されかつ袋体２により覆われた状態で凸部２５及び凸部２６のそれぞれの接近している端の間を通る面におけるゴルフクラブカバーの断面図である。図４（Ａ）は、袋体２の中空に空気が注入されていない状態を示し、図４（Ｂ）は、袋体２の中空に空気が注入された状態を示す。図４（Ａ）に示すように、カバー１によりゴルフクラブＣは保護されているが、図４（Ａ）に示すように、中空の部分に空気が注入された袋体２により、ゴルフクラブＣを更に保護することができる。
【００３３】
図４（Ｃ）は、ゴルフクラブＣがカバー１に収納されていない状態で、袋体２の中空に空気が注入された状態を示すカバー１の断面図であり、図５は当該状態でのカバー１に収納された袋体２のみを抽出した袋体２の外観図である。図６は、体格が標準的なゴルファゴルファが、右腕ＡＲと左腕ＡＬとの間にゴルフクラブカバーを挟み、ゴルフクラブＣを握ってスイングをしようとするときの正面図であるである。
【００３４】
図４（Ｃ）及び図５に示す状態では、袋体２の中空に空気が注入されているので、袋体２の中空に空気が注入されていない状態と比較すると、カバー１の袋体２を収納している部分は、一定以上の力が加わらなければ、一定以上は変形しない。上記のように、袋体２の凸部２５及び凸部２６（図２（Ａ））は、ヘッドＣ１の形状に沿って形成されているので、ゴルフクラブＣがカバー１に収納されていない状態であっても、カバー１は、内部にゴルフクラブＣが収納されている状態と同様な形状を保持する。一方、カバー１のシャフト被覆部１ＣＶ１の中には、袋体２が収納されていないので（図２（Ｂ））、変形しやすい。
【００３５】
よって、ゴルフクラブカバー１における、後端１ＣＶ１１（図１参照）から先端１ＣＶ２２を見て右端の稜線３１と左端の稜線３２はそれぞれ、ヘッド収納部１ＣＶ２では、ヘッドＣ２の右端と左端に対応する稜線に沿って互いに離れているが、シャフト被覆部１ＣＶ１では、互いに接近可能である。
【００３６】
図６に示すように、ゴルファがアドレスに入って打球のためにゴルフクラブＣを握ると、ゴルフクラブＣを握った位置（グリップ位置）とゴルファの両肩とを結ぶ辺Ｌ１、Ｌ２とゴルファの両肩を結ぶ辺Ｌ３とにより、三角形が形成される。辺Ｌ１に沿う左腕ＡＬと、辺Ｌ２に沿う右腕ＡＲとは、スイングする際の予め定められた適正な位置に位置する。ゴルファが右腕ＡＲと左腕ＡＬとの間にゴルフクラブカバーを挟むと、カバー１における、後端１ＣＶ１１（図１参照）から先端１ＣＶ２２を見て右端の稜線３１と左端の稜線３２はそれぞれ、辺Ｌ１、Ｌ２に沿って位置し且つ体格が標準的なゴルファの右腕ＡＲの内側と左腕ＡＬの内側とに一致する。この状態でのゴルファの腕ＡＲ、ＡＬの相対的な位置がスイングする際の適正な相対的な位置である。つまり、上記三角形を維持しながらスイングできると、腕の位置を適正位置で維持しつつスイングできるようになる。上記のようにゴルフクラブカバー１の袋体２を収納しているシャフト被覆部１ＣＶ１は、一定以上の力が加わらなければ、一定以上は変形しない。よって、ゴルファがゴルフクラブカバーを両腕ＡＲ、ＡＬで挟み、ゴルフクラブカバーが落ちないよいようにスイングすると、腕の位置を適正位置で維持しつつスイングできる。
【００３７】
そして、ゴルファが右腕ＡＲと左腕ＡＬとの間にゴルフクラブカバーを挟み、ゴルフクラブカバーが落ちないようにスイングし続けると、例え、ゴルフクラブカバーを両腕ＡＲ、ＡＬから外しても、ゴルフクラブカバーをあたかも両腕ＡＲ、ＡＬの間に挟んでいるように意識すれば、腕の位置を、適正位置で維持しつつスイングできるようになる。更には、ゴルフクラブカバーをあたかも両腕ＡＲ、ＡＬの間に挟んでいるように意識しなくても、いつの間にか、腕の位置を適正位置で維持しつつスイングできるようになる。よって、理想の形でのスイングが自然と身に付くようになる。
【００３８】
以上のように、本考案に係るゴルフクラブカバーは、腕の位置を、適正位置で維持しつつスイングできるようにするためのゴルフスイングの矯正具としての役割を果たすことができる。
【００３９】
そして、本考案に係るゴルフクラブカバーでは、矯正具として利用する際、即ち、理想の形でのスイングを身に付けるためのスイングの練習の際には、袋体２に空気を注入した状態でゴルフクラブカバーをゴルファが右腕ＡＲと左腕ＡＬとの間に挟む。一方、スイングの練習をしないときには、右腕ＡＲと左腕ＡＬとの間からゴルフクラブカバーを外せばいい。よって、ゴルフクラブカバーの脱着作業に手間が掛からない。従って、ショットの間であってもスイングの練習を容易に行うことができる。
【００４０】
また、本考案に係るゴルフクラブカバーでは、矯正具として利用しない場合には、袋体２から注入排出部２０から空気を排出して、ゴルフクラブＣのカバーとして利用する。よって、ゴルフバッグの中に収納したり、別途収納スペースを設けたりすることを不要とすることができる。
【００４１】
以上より、本実施の形態は、脱着が容易で、収納スペースを取らないゴルフスイングの矯正具の役割を有するゴルフクラブカバーを提供することができる。
【００４２】
以上説明した実施の形態のゴルフクラブカバーの袋体２は、図２（Ａ）及び図２（Ｂ）に示すように、ヘッドＣ２（図１）の右半分の部分を覆う第１のヘッド被覆部分２７と、左半分を覆う第２のヘッド被覆部分２８と、シャフトＣ１（図１）を覆うシャフト被覆部分２９とを備えている。本考案の袋体はこれに限定されるものではない。
【００４３】
図７は、変形例における袋体２がゴルフクラブカバー１の中に収納された状態を示す図である。図７に示すように、変形例における袋体２は、ヘッドＣ１の形状に沿って形成されておらず、ゴルフクラブＣを覆うようには形成されていない。
【００４４】
以上説明した実施の形態のゴルフクラブカバー１の袋体２には、空気を注入させているが、その他の気体でも、水等の液体でもよい。
【００４５】
以上、この考案の実施の形態について図面を参照して詳述してきたが、具体的な構成はこの実施の形態に限られるものではなく、この考案の要旨を逸脱しない範囲の設計等も含まれる。
【符号の説明】
【００４６】
１     ゴルフクラブカバー
１ＣＶ１      シャフト被覆部
１ＣＶ２      ヘッド収納部
１Ｂ   後側
１Ｆ   前側
１ＣＶ２２    先端
１ＣＶ１１    後端
２     袋体
１２   右側の端
１４   左側の端
１６   開口
２０   注入排出部
２１   基部
２２   注入排出口
２３   蓋
２５   凸部
２６   凸部
２７   第１のヘッド被覆部分
２８   第２のヘッド被覆部分
２９   シャフト被覆部分
３１   右端の稜線
３２   左端の稜線
ＡＬ   左腕
ＡＲ   右腕
Ｃ     ゴルフクラブ
Ｃ１   シャフト
Ｃ２   ヘッド
Ｌ１   辺
Ｌ２   辺
Ｌ３   辺
【図１】
0003199428.tif 000003
【図２】
0003199428.tif 000004
【図３】
0003199428.tif 000005
【図４】
0003199428.tif 000006
【図５】
0003199428.tif 000007
【図６】
0003199428.tif 000008
【図７】
0003199428.tif 000009